(57)【要約】【課題】  シール性能を高め、耐老化性と耐候性を高め、排水栓の引き抜き作業を容易化してチェーンの寿命の延長を図り、排水栓とチェーンの連結部の出っ張りをなくして使用時の不快感を一掃することが可能な排水栓装置を提供すること。【解決手段】  浴槽の底部に設けられた排水口に着脱可能に装着された排水栓と、上記排水栓にその一端が連結され他端が上記浴槽に連結されたチェーンと、を具備してなる排水栓装置において、上記浴槽の排水口の縁部に密着される上記排水栓の外周鍔部の下面に溝を設けたもの。【選択図】  図１
2008142144.tif 000002
【特許請求の範囲】
【請求項１】
浴槽の底部に設けられた排水口に着脱可能に装着された排水栓と、
上記排水栓にその一端が連結され他端が上記浴槽に連結されたチェーンと、を具備してなる排水栓装置において、
上記浴槽の排水口の縁部に密着される上記排水栓の外周鍔部の下面に溝を設けたことを特徴とする排水栓装置。
【請求項２】
請求項１記載の排水栓装置において、
上記溝は同心状に複数形成されていることを特徴とする排水栓装置。
【請求項３】
請求項１記載の排水栓装置において、
上記チェーンの一端と上記排水栓との連結部は排水栓の内部に収納されていることを特徴とする排水栓装置。
【請求項４】
請求項３記載の排水栓装置において、
上記排水栓の内部には連結用金具が埋め込まれていて、上記チェーンの一端はこの連結金具に連結されていることを特徴とする排水栓装置。
【請求項５】
請求項１記載の排水栓装置において、
上記排水栓の主要部はシリコンゴム製であることを特徴とする排水栓装置。
【請求項６】
請求項１記載の排水栓装置において、
上記排水栓は、排水栓本体と、この排水栓本体内に内装され上記チェーンの一端が連結される連結用金具と、上記排水栓本体の底部に組み込まれる底キャップとから構成されていて、上記排水栓本体と連結用金具の間、上記排水栓本体と底キャップの間、上記連結用金具と底キャップの間には夫々係合構造が設けられていることを特徴とする排水栓装置。
【発明の詳細な説明】
【技術分野】
【０００１】
本発明は、浴槽の排水口を開閉するための排水栓装置に係り、特に、シール性能の向上、耐老化性と耐候性の向上、排水口を開閉するための排水栓の着脱作業の容易化、浴槽使用時における不快感の一掃を図ることができるように工夫したものに関する。
【背景技術】
【０００２】
浴槽は、例えば、図３に示すような構成になっている。まず、浴室１０１があり、この浴室１０１内には浴槽１０３が収容・配置されている。上記浴室１０１の壁１０５の所定位置には給水用蛇口１０７が取り付けられている。この給水用蛇口１０７を開くことにより浴槽１０３内に給水又は給湯するものである。
【０００３】
又、上記浴槽１０３の底部であって所定位置には排水口１０９が形成されていて、この排水口１０９には排水栓１１１が着脱可能に装着されている。この排水栓１１１にはチェーン１１３の一端が連結されていて、このチェーン１１３の他端は上記浴槽１０３の内壁の所定位置に連結されている。上記排水栓１１１の主要部は天然ゴム製となっている。
【０００４】
そして、使用時には上記排水栓１１１を排水口１０９に装着して排水口１０９を閉じる。その状態で給水用蛇口１０７を開いて浴槽１０３内に給水又は給湯する。これに対して使用後にはチェーン１１３を介して排水栓１１１を引き抜いて排水口１０９を開放する。それによって、浴槽１０３内の水又は湯が排出されることになる。
【０００５】
尚、同種の排水栓の構成を開示するものとして、例えば、特許文献１等がある。
【特許文献１】特開平０７−２２２６９１号公報
【発明の開示】
【発明が解決しようとする課題】
【０００６】
上記従来の構成によると次のような問題があった。
まず、シール性能が悪いという問題があった。これは、排水栓１１１と排水口１０９との間に隙間が発生してしまい、その隙間を介して浴槽１０３内の水或いは湯が漏れてしまうものである。排水栓１１１と排水口１０９との間に隙間が形成されてしまう理由としては、天然ゴム製の排水栓１１１の経年変化による劣化が挙げられる。
又、別の問題として使用後に排水栓１１１を引き抜く場合に作業が面倒であるという問題があった。これは、排水栓１１１に対して大きな水圧が作用しているためであり、又、排水栓１１１が排水口１０９の縁部に全面的に密着してしまっているからである。特に、ホテルや旅館等のように多数の浴槽１０３が設置されていて、それらを全て排水させるような場合には大きな負担になっていた。
さらに、別の問題として、排水栓１１１とチェーン１１３の一端との連結部が排水栓１１１の上方に大きく突出してしまっていて、浴槽使用者が入浴時にその出っ張りが身体に当たってしまい、浴槽使用者が不快感を感じてしまうとう問題があった。
【０００７】
本発明はそのような点に基づいてなされたものでその目的とするところは、シール性能を高め、耐老化性と耐候性を高め、排水栓の引き抜き作業を容易化してチェーンの寿命の延長を図り、排水栓とチェーンの連結部の出っ張りをなくして使用時の不快感を一掃することが可能な排水栓装置を提供することにある。
【課題を解決するための手段】
【０００８】
上記目的を達成するべく本願発明の請求項１による排水栓装置は、浴槽の底部に設けられた排水口に着脱可能に装着された排水栓と、上記排水栓にその一端が連結され他端が上記浴槽に連結されたチェーンと、を具備してなる排水栓装置において、上記浴槽の排水口の縁部に密着される上記排水栓の外周鍔部の下面に溝を設けたことを特徴とするものである。
又、請求項２による排水栓装置は、請求項１記載の排水栓装置において、上記溝は同心状に複数形成されていることを特徴とするものである。
又、請求項３による排水栓装置は、請求項１記載の排水栓装置において、上記チェーンの一端と上記排水栓との連結部は排水栓の内部に収納されていることを特徴とするものである。
又、請求項４による排水栓装置は、請求項３記載の排水栓装置において、上記排水栓の内部には連結用金具が埋め込まれていて、上記チェーンの一端はこの連結金具に連結されていることを特徴とするものである。
又、請求項５による排水栓装置は、請求項１記載の排水栓装置において、上記排水栓の主要部はシリコンゴム製であることを特徴とするものである。
又、請求項６による排水栓装置は、請求項１記載の排水栓装置において、上記排水栓は、排水栓本体と、この排水栓本体内に内装され上記チェーンの一端が連結される連結用金具と、上記排水栓本体の底部に組み込まれる底キャップとから構成されていて、上記排水栓本体と連結用金具の間、上記排水栓本体と底キャップの間、上記連結用金具と底キャップの間には夫々係合構造が設けられていることを特徴とするものである。
【発明の効果】
【０００９】
以上述べたように本願発明による排水栓装置によると、浴槽の底部に設けられた排水口に着脱可能に装着された排水栓と、上記排水栓にその一端が連結され他端が上記浴槽に連結されたチェーンと、を具備してなる排水栓装置において、上記浴槽の排水口の縁部に密着される上記排水栓の外周鍔部の下面に溝を設けた構成になっているので、水を張ったときに上記溝内に空気が入り込んだ状態で排水口の縁部に密着することになり、それによって、止水性が高まることになるととともに、排水栓の引き抜き作業を容易化することができる。そして、例えば、ホテルや旅館のように多数の浴槽が設置されている場合には極めて有効である。又、チェーンの寿命を延長させることもできる。
又、上記溝を同心状に複数形成した場合には、上記効果をより確実なものとすることができる。
又、上記チェーンの一端と上記排水栓との連結部を排水栓の内部に収納された構成にした場合には、出っ張りがなくなるので、使用時の不快感を一掃することができる。
又、上記排水栓の内部に連結用金具が埋め込まれていて、上記チェーンの一端をこの連結金具に連結するようにした場合には、比較的簡単な構成で所望の構成を得ることができる。
又、上記排水栓の主要部をシリコンゴム製とした場合には、耐老化性と耐候性が向上して経年変化による劣化がなくなるので、長期にわたって安定したシール性能を得ることができる。
又、上記排水栓を、排水栓本体と、この排水栓本体内に内装され上記チェーンの一端が連結される連結用金具と、上記排水栓本体の底部に組み込まれる底キャップとから構成し、上記排水栓本体と連結用金具の間、上記排水栓本体と底キャップの間、上記連結用金具と底キャップの間には夫々係合構造を設けた場合には、より強固に一体化された排水栓を得ることができる。
【発明を実施するための最良の形態】
【００１０】
以下、図１及び図２を参照して本発明の一実施の形態を説明する。図１は本実施の形態による排水栓装置の構成を示す図で、図１（ａ）は排水栓装置の全体構成を示す側面図、図１（ｂ）は図１（ａ）のｂ−ｂ矢視図である。
まず、排水栓１がある。この排水栓１は、排水栓本体３と、この排水栓本体３の内部に埋め込まれた連結用金具５と、排水栓本体３の下面側に取り付けられた底キャップ７とから構成されている。又、上記連結用金具５にはチェーン９の一端が連結されている。又、チェーン９の他端には固定具１１が連結されていて、この固定具１１を介して図示しない浴槽の内壁の上部に取り付けられることになる。
【００１１】
上記排水栓本体３はシリコンゴム製であり、中央部が貫通した略中空円筒形状をなしている。上記貫通した部分は貫通孔１３となっている。又、排水栓本体３には鍔部１５が設けられていて、この鍔部１５を介して浴槽の排水口１６の縁部１８に着座することになる。
【００１２】
上記連結用金具５はステンレス製であって略中空円筒形状をなしている。又、連結用金具５の中空部１７内には、チェーン９の一端が内装された構成になっている。又、連結用金具５には段付部１９が形成されていて、この段付部１９が上記排水栓本体３側の段付部２１に係合した状態で設置されている。又。上記連結金具５には凹部２３が設けられていて、一方、上記排水栓本体３側にはその凹部２３に係合する凸部２５が形成されている。
【００１３】
上記底キャップ７であるが、これも既に説明した排水栓本体３と同様にシリコンゴム製である。又、底キャップ７には鍔部２７が形成されていて、この鍔部２７が排水栓本体３に形成された溝２９内に係合した状態で設置されている。又、既に説明した連結用金具５には凹部３１が形成されていて、一方、底キャップ７にはその凹部３１に係合する凸部３３が形成されている。
【００１４】
又、上記チェーン９であるが、これは、複数個のボール３５を複数個の棒体３７を介して連結した構成になっている。
そして、連結用金具７の中空部１７内には上記ボール３５が１個内装された状態で連結されている。
【００１５】
次に、上記排水栓１の製造工程について説明する。まず、所定形状の図示しない金型があり、該金型内に上記連結用金具５を配置し、そこにシリコンゴムの樹脂を流し込む。それによって、排水栓本体３と連結用金具７を一体化させた状態で成形する。一方、別途用意されている図示しない金型を使用して底キャップ７を成型する。そして、この底キャップ７を図示しないプレス機を使用して上記一体成形された排水栓本体３の底部に押し込んで一体化させるものである。
【００１６】
さて、既に説明した排水栓本体３の鍔部１５の裏側には、複数個（この実施の形態の場合には３個）の環状突起４１が突出・成形されている。上記３個の環状突起４１の間には環状溝４３が形成されている。このような構成とすることにより、止水性能を高めるとともに排水栓１の
取外作業を容易化することができるものである。すなわち、排水栓１によって排水口を閉じた場合、上記環状溝４１内に空気が入った状態で密着されることになり、それによって、止水性能が高まるとともに排水栓１によって排水口を閉じて給水し、使用した後排水するべく排水栓１を引き抜く際、小さな力でこれを引き抜くことができるからである。
【００１７】
以上、本実施の形態によると次のような作用・効果を奏することができる。
まず、シール性能を大幅に向上させることができる。これは、排水栓１の主要部をシリコンゴム製としたからである。具体的には、排水栓本体３と底キャップ７をシリコンゴム製としたものであり、耐老化性と耐候性を高めることができ、それによって、長期間使用してもそれらが劣化してしまうようなこともなく、長期にわたって安定したシール性能を維持することができるものである。
又、浴槽使用後に排水栓１を引き抜く作業が大幅に容易化されたものである。これは、排水栓１の排水栓本体３の鍔部１５の裏側に複数個の環状突起４１を設けてそれら環状突起４１の間に複数個の環状溝４３を形成して、排水口の縁部に対する非接触部を設けた構成にしたからである。つまり、上記環状溝４３内に空気が入り込んだ状態で密着することになるので、シール性能が高まるとともに浴槽使用後に排水栓１を引き抜く際の力が小さなもので足りることになる。そして、このような効果はホテルや旅館等のように複数個の浴槽が設置されていて、それらについて全て廃水処理を行わなければならないような場合に極めて有効であり、排水のための作業が容易になるとともに作業時間が大幅に短縮化されるものである。
又、この実施の形態の場合には排水栓１とチェーン９との連結部位が排水栓１の上方に大きく突出しない構成になっているので、従来のように、使用時に突出部が身体に当たってしまうようなこともなく、使用者が不快に感じるようなこともなくなる。
又、
排水栓１の構成をみてみると、排水栓本体１と連結用金具５との関係においては連結用金具５の鍔部１９と排水栓本体３の段付部２１との係合構造、連結用金具５の凹部２３と排水栓本体３側の凸部２３との係合構造によって両者の一体化は確実なものとなっている。同様に、連結用金具５と底キャップ７との関係においては、連結用金具５の凹部３１と底キャップ７の凸部３３との係合構造によって両者の一体化は確実なものとなっている。さらに、排水栓本体１と底キャップ7との関係においては、底キャップ７の鍔部２７と排水栓本体１の溝２９との係合構造によって両者は一体化されている。そして、これらの構成が相まって排水栓本体３、連結用金具５、底キャップ７が強固に一体化されているものであり、長期にわたって安定した機能を提供することができるものである。
【００１８】
本実施の形態による排水栓装置を使用した場合と従来品を使用した場合について各種試験を行って本実施の形態による排水栓装置の効果を確認したので順次説明していく。
尚、行った試験はＪＩＳ規格の「浴槽の性能試験方法」に基づいて行われたものと、出願人が独自の基準によって行なった試験の二種類である。
【００１９】
まず、「止水試験Ａ」を実施した。これは次のようなものである。まず、排水栓の鎖の下から１０ｃｍの場所を把持して排水口の真上１ｃｍの位置から自由落下させて排水口を閉じ、その上から５０Ｎ（５．１ｋｇｆ）の力で押さえて排水口を閉じた。次に、排水口付近の水深が４０ｃｍになるまで給水する。そして、給水後１時間経過した後の漏水量を測定するものである。
その結果、本実施の形態による排水栓装置の場合には漏水量が０．００１（リットル）以下であった。又、この試験に関しては従来品も漏水量が０．００１（リットル）以下であった。ＪＩＳの合格範囲は０．０３（リットル）／ｈ（時間）以内である。
【００２０】
次に、「止水試験Ｂ」を実施した。これは、まず、排水栓１の鎖９の下から１０ｃｍの場所を把持して排水口の真上１ｃｍの位置から自由落下させて排水口を閉じる。その後押さえることなく排水口付近の水深が４０ｃｍになるまで給水する。そして、給水後１時間経過した後の漏水量を測定するものである。
その結果、本実施の形態による排水栓１の場合には漏水量が０．１２（リットル）であった。又、この試験に関しては従来品の漏水量は０．３（リットル）オーバーとなった。ＪＩＳの合格範囲は０．３（リットル）／ｈ（時間）以内である。よって、従来品では合格できないのに対して本実施の形態の場合には十分に合格範囲内に収まっているものである。
【００２１】
次に、「止水試験Ｃ」を実施した。これは、排水口を排水栓１によって閉じた後略満水になるまで給水する。その後、鎖９の下から４５ｃｍの場所を把持して引き上げて排水し、排水口付近の水深が４０ｃｍになるまで低下させた後、排水栓１を排水口の上１ｃｍの位置から落とし込んで閉じる。そして、閉じた後１時間経過した後の漏水量を測定するものである。
その結果、本実施の形態による排水栓１の場合には漏水量が０．００１（リットル）であった。又、この試験に関しては従来品の漏水量も０．００１（リットル）であった。ＪＩＳの合格範囲は０．３（リットル）／ｈ（時間）以内である。
【００２２】
次に、上記各種止水試験とは別に引っ張り試験を行った。
まず、２００Ｎ（２０．３ｋｇｆ）の引っ張り力を作用させて破壊試験を行った。これについては本実施の形態の場合も従来品の場合も鎖や排水栓において破損や変形はなかった。ＪＩＳの合格範囲は２００Ｎ（２０．３ｋｇｆ）の引っ張り力を作用させて破壊試験を行った場合にチェーンや接続リング等において破損や変形が生じないことと規定されている。
ここまでの試験がＪＩＳ規格の「浴槽の性能試験方法」に基づいて行われた試験である。
【００２３】
次に、出願人独自の基準に基づいて、水を張ったときの排水栓の引き抜き力を計測した。すなわち、浴槽内に適切な量の水を張り（満水容量の７０％程度）、その状態で鎖を引っ張って排水栓を持ち上げて排水口を開放したときの引き抜き力を計測した。本実施の形態による排水栓の場合には１０．４Ｎ（１．０６ｋｇｆ、１０回の平均値）であったのに対して、従来品の場合は４２．３Ｎ（４．３１ｋｇｆ、１０回の平均値）であった。本実施の形態の場合には従来に比べて非常に小さな力で開放できるようになったものである。
【００２４】
尚、本発明は前記一実施の形態に限定されるものではない。
まず、排水栓本体の鍔部１５の裏側の構成は図示したものに限定されるものではなく、環状突起、環状溝の個数は様々なものが想定される。
その他、図示した構成はあくまで一例である。
【産業上の利用可能性】
【００２５】
本発明は、浴槽の排水口に着脱可能に取り付けられる排水栓装置に係り、特に、シール性能の向上、着脱作業の容易化、浴槽使用時における不快感の一掃を図ることができるように工夫したものに関し、例えば、ホテルや旅館等の浴槽の排水栓装置として好適である。
【図面の簡単な説明】
【００２６】
【図１】本発明の一実施の形態を示す図で、図１（ａ）は排水栓装置の全体の構成を示す側面図、図１（ｂ）は図１（ａ）のｂ−ｂ矢視図である。
【図２】本発明の一実施の形態を示す図で、図１（ａ）のＩＩ部を拡大して示す一部断面図である。
【図３】従来例の説明に使用した図で、浴槽全体の構成を示す斜視図である。
【符号の説明】
【００２７】
１  排水栓
３  排水栓本体
５  連結用金具
７  底キャップ
９  チェーン
１９  連結用金具の鍔部
２１  段付部
２３  連結用金具の凹部
２５  排水栓本体の凸部
２７  底キャップの鍔部
２９  排水栓本体の溝
３１  連結用金具の凹部
３３  底キャップの凸部
４１  環状突起
４３  環状溝
【図１】
2008142144.tif 000003
【図２】
2008142144.tif 000004
【図３】
2008142144.tif 000005